(57)【要約】      （修正有）【課題】２個のロール紙が同時に使用されることを防ぐスライドカバー装置及びそれを備えた横二連式トイレットペーパーホルダを提供する。【解決手段】２個のロール紙２，３を軸方向に並べて配置可能なホルダ１０の上方に設置されるスライドカバー装置１は、レール２０とカバー３０を備える。レール２０は、２個のロール紙２，３の上方に取り付けられる。そのレール２０にスライド可能に設けられたカバー３０は、２個のロール紙２，３のうち、いずれか一方のロール紙を覆う。これにより、カバー３０に覆われた一方のロール紙２の使用が防がれ、カバー３０に覆われていない他方のロール紙３が優先的に使用される。カバー３０に覆われていない他方のロール紙３を使い切った後、レール２０に沿ってカバー３０をスライドすれば、未使用の一方のロール紙２を使用することが可能である。【選択図】図１
0003184834.tif 000002
【実用新案登録請求の範囲】
【請求項１】
２個のロール紙を軸方向に配置可能なホルダの上方に設置するスライドカバー装置であって、
２個の前記ロール紙の上方に取り付けられるレールと、
前記レールにスライド可能に設けられ、２個の前記ロール紙のいずれか一方を覆うカバーを備えることを特徴とするスライドカバー装置。
【請求項２】
前記カバーは、前記ホルダの備えるカッタープレートよりも下方に延びていることを特徴とする請求項１に記載のスライドカバー装置。
【請求項３】
前記レールは、断面が非円形であり、
前記カバーは、前記レールの軸周りに回動不能又は所定範囲内で回動可能に設けられ、
前記ホルダの備えるカッタープレート又は前記ロール紙と、前記カバーとの間に空間を有することを特徴とする請求項１または２に記載のスライドカバー装置。
【請求項４】
前記レールは、断面が円形であり、
前記カバーは、前記レールの軸周りに回動可能であることを特徴とする請求項１または２に記載のスライドカバー装置。
【請求項５】
２個のロール紙を軸方向に配置可能なホルダと、
２個の前記ロール紙の上方で、前記ホルダに固定されるレールと、
前記レールにスライド可能に設けられ、２個の前記ロール紙のいずれか一方を覆うカバーを備えることを特徴とする横二連式トイレットペーパーホルダ。
【考案の詳細な説明】
【技術分野】
【０００１】
本考案は、スライドカバー装置、及びそれを備えた横二連式トイレットペーパーホルダに関する。
【背景技術】
【０００２】
従来より、ロール紙を軸方向に２個並べて配置することの可能な横二連式トイレットペーパーホルダが知られている（特許文献１、２参照）。この横二連式トイレットペーパーホルダは、ホテルまたは公共施設など、利用回数が多い場所に設置される。
【先行技術文献】
【特許文献】
【０００３】
【特許文献１】特許第３５８００５５号公報
【特許文献２】特開２０００−２０１８５５号公報
【考案の概要】
【考案が解決しようとする課題】
【０００４】
しかしながら、特許文献１及び特許文献２に記載の横二連式トイレットペーパーホルダは、２個のロール紙のどちらも使用することが可能であるので、２個のロール紙が同時に細くなることがある。その際、ホテル等の管理者は、細いロール紙は見栄えが悪いことから、２個共、新品のロール紙に交換することを余儀なくされる。したがって、完全に使い切る前に交換するロール紙の個数が増加するという問題がある。
【０００５】
本考案は上記問題に鑑みてなされたものであり、２個のロール紙が同時に使用されることを防ぐスライドカバー装置、及びそれを備えた横二連式トイレットペーパーホルダを提供することを目的とする。
【課題を解決するための手段】
【０００６】
第１の考案は、２個のロール紙を軸方向に配置可能なホルダの上方に設置するスライドカバー装置であって、ロール紙の上方に取り付けられるレールにスライド可能に設けられたカバーが、２個のロール紙のいずれか一方を覆うことを特徴とする。
これにより、カバーに覆われた一方のロール紙の使用が防がれ、カバーに覆われていない他方のロール紙が優先的に使用される。カバーに覆われていない他方のロール紙を使い切った後、レールに沿ってカバーをスライドすれば、未使用の一方のロール紙を使用することが可能である。したがって、このスライドカバー装置は、２個のロール紙が同時に細くなることを防ぐので、ロール紙を使い切った後に交換することが可能となり、使い切る前に交換されるロール紙の個数を減らすことができる。
【０００７】
第２の考案は、横二連式トイレットペーパーホルダにおいて、２個のロール紙を軸方向に配置可能なホルダと、２個のロール紙の上方でホルダに固定されるレールと、そのレールにスライド可能に設けられて２個のロール紙のいずれか一方を覆うカバーを備えることを特徴とする。
すなわち、横二連式トイレットペーパーホルダに、レールとカバーを組み込むことが可能である。
【図面の簡単な説明】
【０００８】
【図１】本考案の第１実施形態によるスライドカバー装置の斜視図である。
【図２】図１のＩＩ−ＩＩ線の断面図である。
【図３】（ａ）は図２のＩＩＩ部分の拡大図であり、（ｂ）、（ｃ）、（ｄ）は第１実施形態の変形例である。
【図４】本考案の第２実施形態による横二連式トイレットペーパーホルダの断面図である。
【図５】本考案の第３実施形態によるスライドカバー装置の断面図である。
【図６】本考案の第４実施形態による横二連式トイレットペーパーホルダの断面図である。
【０００９】
以下、本考案による実施形態を図面に基づいて説明する。
（第１実施形態）
本考案の第１実施形態を図１、図２及び図３（ａ）に示す。第１実施形態のスライドカバー装置１は、２個のロール紙２，３を軸方向に配置するホルダ１０の上方に設置される。
【００１０】
スライドカバー装置１は、レール２０とカバー３０を備える。
レール２０は、例えば金属または樹脂の棒から形成され、２個のロール紙２，３の上方に取り付けられる。第１実施形態のレール２０は、断面が多角形であり、その一例として四角形であることが例示される。
レール２０は、軸方向の両端に設けられた取付金具４１，４２に支持される。この取付金具４１，４２は、トイレの壁４に例えばビス５等により固定される。
【００１１】
カバー３０は、例えば金属または樹脂から形成され、板状部３１、及びその板状部３１の上方の端部に設けられた嵌合部３２を有する。
板状部３１は、ホルダ１０の備えるカッタープレート１１よりも下方に延び、２個のロール紙２，３のうち、いずれか一方のロール紙を覆う。ここで、カッタープレート１１は、ロール紙２，３の空回りを防ぐと共に、ロール紙２，３のカットを容易に行うためのものである。板状部３１がカッタープレート１１よりも下方に延びていることで、カバー３０に覆われていないロール紙３をカットすることに比べ、カバー３０に覆われたロール紙２をカットすることが困難になる。
また、板状部３１がカッタープレート１１よりも下方に延びていることで、斜め上からスライドカバー装置１を見たとき、カバー３０覆われたロール紙２と、そのロール紙２のカッタープレート１１がカバー３０によって隠される。
【００１２】
なお、板状部３１は、ロール紙２，３の最下部まで延びていてもよい。これにより、カバー３０に覆われたロール紙のカットがさらに困難になると共に、カバー３０のデザイン性が向上する。
さらに、カバー３０は、例えば板状部３１の下端部を曲面にする、または、板状部３１の下端部に弾性体を取り付けるなどして、カバー３０に覆われたロール紙２のカットが困難になるように構成してもよい。
【００１３】
嵌合部３２は、レール２０の断面形状に対応した多角形の箱型であり、レール２０の外側に嵌合する。そのため、カバー３０は、レール２０の軸方向にスライド可能である。
第１実施形態では、レール２０と嵌合部３２が多角形であるので、カバー３０は、レール２０の軸周りに回動不能、又は所定範囲内で回動可能である。なお、この明細書において「所定範囲内で回動可能」とは、レール２０の外壁と嵌合部３２の内壁との隙間Ｓ（図３（ａ）参照）の範囲内でカバー３０が回動可能であることをいう。
【００１４】
スライドカバー装置１は、カバー３０とカッタープレート１１との間に空間Ｔを有する。これにより、レール２０に沿ってカバー３０を移動するとき、カバー３０とカッタープレート１１との干渉が防がれる。
また、カバー３０とカッタープレート１１との間に空間Ｔがあることにより、カバー３０を使ってロール紙３をカットすることが困難になる。そのため、カバー３０に覆われていないロール紙３が優先的に使用されることになる。
【００１５】
第１実施形態では、次の作用効果を奏する。
（１）第１実施形態では、ロール紙２，３の上方に取り付けられるレール２０にスライド可能に設けられたカバー３０は、２個のロール紙２，３のうち、いずれか一方のロール紙を覆う。
これにより、カバー３０に覆われた一方のロール紙２の使用が防がれ、カバー３０に覆われていない他方のロール紙３が優先的に使用される。カバー３０に覆われていない他方のロール紙３を使い切った後、図１の矢印Ａに示すようにカバー３０をスライドすれば、それまでカバー３０に覆われていた未使用の一方のロール紙２を使用することが可能である。
したがって、このスライドカバー装置１は、２個のロール紙２，３が同時に細くなることを防ぐ。その結果、ロール紙を使い切った後に交換することが可能となり、使い切る前に交換するロール紙の個数を減らすことができる。
【００１６】
（２）第１実施形態では、カバー３０は、ホルダ１０の備えるカッタープレート１１よりも下方に延びている。
これにより、カバー３０に覆われていないロール紙３をカットすることに比べ、カバー３０に覆われた一方のロール紙２をカットすることが困難になる。
また、斜め上からスライドカバー装置１を見たとき、一方のロール紙と、そのロール紙のカッタープレート１１がカバー３０によって隠される。
したがって、スライドカバー装置１は、カバー３０覆われたロール紙の使用を防ぐことができる。
【００１７】
（３）第１実施形態では、レール２０は断面が多角形であり、カバー３０はレール２０の軸周りに回動不能、又は所定範囲内で回動可能に設けられる。スライドカバー装置１は、カバー３０とカッタープレート１１との間に空間Ｔを有する。
これにより、レール２０に沿ってカバー３０を移動するとき、カバー３０とカッタープレート１１との干渉が防がれる。そのため、カバー３０のスライド操作を円滑に行うことが可能である。したがって、ロール紙２，３を交換する作業などを容易に行うことができる。
また、カバー３０とカッタープレート１１との間に空間Ｔがあることにより、カバー３０を使ってロール紙３をカットすることが困難になる。そのため、カバー３０に覆われていないロール紙３が優先的に使用されることになる。
【００１８】
（４）第１実施形態では、レール２０は、カバー３０の上方の端部のみに設けられる。
これにより、スライドカバー装置１の構成が簡素になる。したがって、スライドカバー装置１の製造コストを低減し、また、スライドカバー装置１をトイレの壁４へ設置する際の作業工数を低減することができる。
【００１９】
（変形例）
上述した第１実施形態の第１変形例を図３（ｂ）に示し、第２変形例を図３（ｂ）に示し、第３変形例を図３（ｄ）に示す。
第１〜第３変形例では、カバー３０の嵌合部とレールの断面形状が上述した第１実施形態のものと異なっている。
【００２０】
第１変形例は、図３（ｂ）に示すように、レール２１は、断面が円形である。カバー３０の嵌合部３３は、断面が円筒形であり、レール２１の外側に嵌合する。したがって、カバー３０はレール２１の軸周りに回動可能である。
第１変形例では、レール２１の軸方向にカバー３０を移動するとき、カバー３０を手で持ち上げてスライドすることが可能となる。したがって、カバー３０のスライド操作を円滑に行うことが可能である。したがって、ロール紙２，３を交換する作業を容易に行うことができる。
【００２１】
第２変形例は、図３（ｃ）に示すように、レール２２の断面は、円筒形の径方向の一方の壁が開口したＣ形状である。レール２２の開口は、トイレの壁４の反対側に設けられる。カバー３０の嵌合部３４は、断面が円柱状であり、レール２２の内側に嵌合する。したがって、カバー３０は、レール２２の開口とカバー３０の外壁との隙間Ｕの範囲内で回動可能である。
その結果、第２変形例においても、スライドカバー装置は、カバー３０とカッタープレート１１との間に空間Ｔを有する構成にすることができる。
また、第２変形例では、レール２２の軸方向の中間位置において、レール２２とトイレの壁４との間に取付金具４５を設けることが可能である。したがって、レール２２のたわみを防ぐことができる。
【００２２】
第３変形例は、図３（ｄ）に示すように、レール２３の断面は、箱形の一方の壁が開口した多角形である。カバー３０の嵌合部３５は、多角形であり、レール２３の内側に嵌合する。したがって、カバー３０は、レール２３の開口とカバー３０の外壁との隙間Ｖの範囲内で回動可能である。
その結果、第３変形例においても、スライドカバー装置は、カバー３０とカッタープレート１１との間に空間Ｔを有する構成にすることができる。
また、第３変形例においても、レール２２の軸方向の中間位置において、レール２２とトイレの壁４との間に取付金具４５を設けることが可能である。
【００２３】
（第２実施形態）
本考案の第２実施形態を図４に示す。第２実施形態は、スライドカバー装置を備えた横二連式トイレットペーパーホルダ１００である。
横二連式トイレットペーパーホルダ１００は、ホルダ１２、カッタープレート１１、レール２０及びカバー３０を備える。
ホルダ１２は、例えばビス６等によりトイレの壁４に固定され、２個のロール紙２，３を軸方向に並べて配置する。レール２０は、軸方向の両端がホルダ１２に固定され、カッタープレート１１の上方に取り付けられる。
【００２４】
第２実施形態では、横二連式トイレットペーパーホルダ１００に、レール２０とカバー３０から構成されるスライドカバー装置を組み込むことが可能である。したがって、ホルダ１２とスライドカバー装置をそれぞれ別個にトイレの壁４に取り付けることに比べ、この横二連式トイレットペーパーホルダ１００は、取り付けの工数を低減することができる。
【００２５】
（第３実施形態）
本考案の第３実施形態を図５に示す。第３実施形態のスライドカバー装置は、ロール紙２，３の上方に取り付けられる第１レール２４と、ロール紙２，３の下方に取り付けられる第２レール２５を備える。第１レール２４と第２レール２５は、それぞれ、軸方向の両端に設けられた取付金具４３，４４により、トイレの壁４に固定される。
カバー３６は、板状部３１の上方の端部に設けられた第１嵌合部３７が第１レール２４に嵌合し、板状部の下方の端部に設けられた第２嵌合部３８が第２レール２５に嵌合する。
【００２６】
第３実施形態においても、カバー３６は、第１レール２４と第２レール２５によってスライド可能に設けられ、２個のロール紙２，３のうち、いずれか一方のロール紙を覆う。
これにより、カバー３６に覆われた一方のロール紙２の使用が防がれ、カバー３６に覆われていない他方のロール紙３が優先的に使用される。したがって、スライドカバー装置は、上述した第１実施形態、第２実施形態及び変形例と同様の作用効果を奏する。
【００２７】
（第４実施形態）
本考案の第４実施形態を図６に示す。第４実施形態は、スライドカバー装置を備えた横二連式トイレットペーパーホルダ１０１である。
この横二連式トイレットペーパーホルダ１０１は、カッタープレート１１の上方に棚板部１３を有する。
レール２３は、棚板部１３に固定される。カバー３９は、レール２３にスライド可能に設けられ、２個のロール紙２，３のうち、いずれか一方のロール紙を覆う。したがって、この横二連式トイレットペーパーホルダ１０１は、上述した第１〜第３実施形態及び変形例と同様の作用効果を奏する。
【００２８】
（他の実施形態）
（１）上述した実施形態では、カッタープレート１１を備えるホルダを例にして説明した。これに対し、他の実施形態では、ホルダは、カッタープレートを備えないものであってもよい。この場合、カバーを、レールの軸周りに回動不能、又は所定範囲内で回動可能とするとき、スライドカバー装置は、カバーとロール紙との間に空間Ｔを有する。
【００２９】
（２）上述した第１実施形態では、レール２０の断面が四角形のものを例にして説明した。これに対し、他の実施形態では、カバーをレールの軸周りに回動不能、又は所定範囲内で回動可能とする場合、レールの断面は非円形であればよい。レールの断面が非円形のものとして、楕円形、又は、径方向外側に突出する凸部を有するもの、又は、径方向内側に凹む溝を有するものが例示される。
【００３０】
（３）上述した実施形態では、カバーを樹脂または金属から形成した。これに対し、他の実施形態では、カバーは、布または木などから形成してもよい。
【００３１】
（４）上述した実施形態では、レール２０の取付金具４１〜４５をビス５により固定した。これに対し、他の実施形態では、取付金具は、例えば接着などにより固定してもよい。
このように、本考案は、上記実施形態に限定されるものではなく、実用新案登録請求の範囲に記載した考案の趣旨を逸脱しない範囲において、種々の形態で実施することができる。
【符号の説明】
【００３２】
１        ・・・スライドカバー装置
２、３    ・・・ロール紙、
４        ・・・壁、
５、６    ・・・ビス
１０、１２・・・ホルダ
１１      ・・・カッタープレート
１３      ・・・棚板部
２０〜２３・・・レール
２４      ・・・第１レール
２５      ・・・第２レール
３０、３６，３９・・・カバー
３１      ・・・板状部、
３２〜３５・・・嵌合部
３７      ・・・第１嵌合部
３８      ・・・第２嵌合部
４１〜４５・・・取付金具
１００，１０１・・・横二連式トイレットペーパーホルダ
【図１】
0003184834.tif 000003
【図２】
0003184834.tif 000004
【図３】
0003184834.tif 000005
【図４】
0003184834.tif 000006
【図５】
0003184834.tif 000007
【図６】
0003184834.tif 000008